(57)【要約】【課題】演奏者が望む音域を補強しつつ全体として音量を低減することのできるピアノを提供する。【解決手段】本発明のピアノは、筐体の背面側に設けられた支柱と、弦長を規定し、弦の振動が伝達される駒と、前記筐体に設けられた板状部材と前記駒とを連結する連結部材と、を備え、前記駒と前記支柱との間に、空気層および緩衝部材の少なくとも一方が介在している。本発明のピアノにおいて、前記駒から前記支柱までにおける前記振動の減衰量は、前記駒から前記板状部材と前記連結部材との接触面までの前記振動の減衰量よりも大きい。本発明のピアノは、演奏者が望む音域を補強しつつ全体として音量を低減することができる。【選択図】図１
2016206218.tif 000002
【特許請求の範囲】
【請求項１】
筐体の背面側に設けられた支柱と、
弦長を規定し、弦の振動が伝達される駒と、
前記筐体に設けられた板状部材と前記駒とを連結する連結部材と、
を備え、
前記駒と前記支柱との間に、空気層および緩衝部材の少なくとも一方が介在したピアノ。
【請求項２】
前記駒から前記支柱までにおける前記振動の減衰量は、前記駒から前記板状部材と前記連結部材との接触面までの前記振動の減衰量よりも大きいことを特徴とする請求項１に記載のピアノ。
【請求項３】
前記駒は、前記支柱に前記緩衝部材を介して固定され、
前記緩衝部材の弾性率は、前記連結部材の弾性率よりも低いことを特徴とする請求項１または２に記載のピアノ。
【請求項４】
前記板状部材は、前記筐体の前面側に設けられる前板である、請求項１乃至３の何れか一項に記載のピアノ。
【請求項５】
前記弦は、音域に応じて複数設けられ、
前記複数の弦のうち、低音域に対応する弦長を規定する前記駒に支持された、請求項１乃至４の何れか一項に記載のピアノ。
【発明の詳細な説明】
【技術分野】
【０００１】
本発明は、ピアノに関する。
【背景技術】
【０００２】
ピアノは、弦の振動を駒から響板に伝達する構造を有しており、弦の振動が響板に伝達されることで豊かな音量が得られるようになっている。しかし、例えば集合住宅や住宅が密集しているような環境では、ピアノの音量が大きすぎてしまうような場合がある。そこで、響板と駒との間の振動伝達部材の連結を解除することにより、ピアノの音量の調節を行えるようにしたピアノが知られている（例えば、特許文献１参照）。
【先行技術文献】
【特許文献】
【０００３】
【特許文献１】特許第３７４０６１２号公報
【発明の概要】
【発明が解決しようとする課題】
【０００４】
特許文献１記載のピアノでは、ピアノの音量を小さくすることができるものの、その結果として、演奏者の望む音域バランスの演奏が得られない場合もあった。このように、演奏者によっては、音量を小さくしつつ一部の音域の音量を補強したい場合もあり、特許文献１記載のピアノでは、演奏者に応じた対応が困難であるという問題があった。
【０００５】
また、ピアノの演奏者のみが十分な音量で聴くことができ、周囲には音は放射されないことが望ましいが、弦の振動がピアノの筐体全体に伝達されると、不要な音響放射が発生し、全体として音量を低減することが困難になるという問題もある。
【０００６】
本発明は、そのような事情に鑑みてなされたものであり、演奏者が望む音域を補強しつつ全体として音量を低減することのできるピアノを提供することを課題とする。
【課題を解決するための手段】
【０００７】
本発明の一実施形態におけるピアノは、筐体の背面側に設けられた支柱と、弦長を規定し、弦の振動が伝達される駒と、前記筐体に設けられた板状部材と前記駒とを連結する連結部材と、を備え、前記駒と前記支柱との間に、空気層および緩衝部材の少なくとも一方が介在している。
【０００８】
前記駒から前記支柱までにおける前記振動の減衰量は、前記駒から前記板状部材と前記連結部材との接触面までの前記振動の減衰量よりも大きくてもよい。
【０００９】
前記駒は、前記支柱に前記緩衝部材を介して固定され、前記緩衝部材の弾性率は、前記連結部材の弾性率よりも低くてもよい。
【００１０】
前記板状部材は、前記筐体の前面側に設けられる前板であってもよい。
【００１１】
前記弦は、音域に応じて複数設けられ、前記複数の弦のうち、低音域に対応する弦長を規定する前記駒に支持されてもよい。
【発明の効果】
【００１２】
以上説明したように、本発明によれば、演奏者が望む音域を補強しつつ全体として音量を低減することのできるピアノを提供することが可能になる。
【図面の簡単な説明】
【００１３】
【図１】第１の実施形態におけるピアノの側断面を示す図である。
【図２】第１の実施形態におけるピアノの背面を示す図である。
【図３】第２の実施形態におけるピアノの側断面を示す図である。
【図４】第２の実施形態におけるピアノの背面を示す図である。
【図５】第２の実施形態におけるピアノの別の例の側断面を示す図である。
【発明を実施するための形態】
【００１４】
以下、図面を参照して、図面を参照して本発明に係る楽器について説明する。但し、本発明のピアノは、以下に示す実施形態の記載内容に限定して解釈されるものではない。本発明の実施形態で参照する図面において、同一部分又は同様な機能を有する部分には同一の符号を付し、その繰り返しの説明は省略する。
【００１５】
＜第１実施形態＞
図１を参照して、本発明の第１の実施形態に係るピアノ１０の構成例について説明する。図１は、第１の実施形態のピアノの側断面を示す図である。図２は、第１の実施形態のピアノの背面を示す図である。なお、本実施形態では、アップライトピアノを例示するが、本発明は、グランドピアノにも適用可能である。
【００１６】
ピアノ１０の筐体１１は、上前板１２−１、下前板１２−２、背面上桁１３、背面下桁１４、親板１５−１、１５−２、屋根前１６、屋根後１７、底板１８及び支柱２０−１〜２０−６を備える。図１では、支柱２０−１から２０−６のうちの１つの支柱が支柱２０として図示されている。
【００１７】
上前板１２−１は、筐体１１の前面側において、屋根前１６と鍵盤蓋奥３４との間に設けられ、屋根前１６、鍵盤蓋奥３４、及び親板１５−１、１５−２に連結される。下前板１２−２は、筐体１１の前面側において、棚板３３と底板１８との間に設けられ、棚板３３、底板１８、及び親板１５−１、１５−２に連結される。背面上桁１３は、筐体１１の背面の上側において親板１５−１と親板１５−２の間に水平方向に掛け渡されるように設けられる。背面下桁１４は、筐体１１の背面の下側において親板１５−１と親板１５−２の間に掛け渡されるように設けられる。ピアノ１０の一方の側面には親板１５−１が設けられ、他方の側面には親板１５−２が設けられる。
【００１８】
筐体１０の上端においては、前側に屋根前１６が設けられ、後ろ側に屋根後１７が設けられる。屋根前１６と屋根後１７により筐体１０の上端（上面側）が覆われる。また、図示は省略しているが、屋根前１６と屋根後１７は、ヒンジによって連結されている。これにより、ヒンジによる連結部分を中心として屋根前１６の前側を引き上げるようにして屋根前１６を開くことができる。屋根前１６を開くことにより、例えば屋根前１６を閉じた状態のときよりも豊かな音の響きが得られる。底板１８は、図示するように筐体１１の下端部（底面側）において設けられる。
【００１９】
支柱２０−１〜２０−６は、筐体１１の背面において、背面上桁１３と背面下桁１４との間において垂直方向に架設される。本実施形態における支柱２０−１〜２０−６は、弦の張力に対して筐体１１を支える機能を有する。また、本実施形態において、支柱２０−１〜２０−６は、駒５４、５６を固定する機能などを有する。なお、以降において支柱２０−１〜２０−６について特に区別しない場合には、支柱２０と記載する。また、図２においては、６本の支柱２０−１〜２０−６を設けた例が示されているが、支柱２０の数については特に限定されない。
【００２０】
また、筐体１１の底板１８前面側の左右両側にはそれぞれ妻土台３１が設けられる。妻土台３１と棚板３３との間には脚柱３２が架設される。
【００２１】
棚板３３の上面側には所定数（例えば８８個）の鍵４１が水平方向に並べられて設けられる。鍵４１の各々は、棚板３３の上面部に設けられた筬中４２、筬前４３、筬後４４によって支持される。
【００２２】
鍵４１の上側には、鍵盤蓋奥３４が設けられ、鍵盤蓋奥３４の手前側に鍵盤蓋３５が設けられる。鍵盤蓋３５は、水平方向の一端が鍵盤蓋奥３４とヒンジとで連結されることで、開閉が可能なようになっている。図１では、鍵盤蓋３５が開いた状態を示している。
【００２３】
筐体１１の内部においてはフレーム５１が設けられる。フレーム５１に対しては、鍵４１ごとに対応する弦５２、５３が張設される。ここで、弦５２は、ピアノ１０の全音域のうちの低音域に対応する弦である。つまり、弦５２は、低音域の範囲に含まれる所定数の鍵４１ごとに対応して設けられる。また、弦５３は、ピアノ１０の全音域のうちの中高音域に対応する弦である。つまり、弦５３は、中高音域の範囲に含まれる所定数の鍵４１ごとに対応して設けられる。
【００２４】
本実施形態においては、低音域に対応する駒（短駒）５４と高音域に対応する駒（長駒）５６との２つの駒が設けられる。図１及び図２に示すように、駒５４は、背面方向からみて支柱２０−４、２０−５と重なる部位が後述する緩衝部材９０を介して支柱２０−４、２０−５に固定される。なお、駒５４を緩衝部材９０に対して固定するための手法については特に限定されない。例えば、駒５４は接着剤や釘などによって緩衝部材９０に固定されてもよい。また、駒５４はネジ部品あるいはボルト、ナットなどによって緩衝部材９０に固定されてもよい。また、駒５４は、ほぞ組みなどによる木工的な連結技術により緩衝部材９０に固定されてもよい。
【００２５】
駒５６は、背面方向からみて支柱２０−３、２０−４、２０−５、２０−６と重なる部位が支柱２０−３、２０−４、２０−５、２０−６に接続されて固定される。なお、駒５６を支柱２０に対して固定するための手法については特に限定されない。例えば、駒５６は接着剤や釘などによって支柱２０に固定されてもよい。接着剤を用いる場合、例えば振動の伝達をできるだけ損なわないことを考慮して接着剤の種類を選定することが好ましい。また、駒５６はネジ部品あるいはボルト、ナットなどによって支柱２０に固定されてもよい。また、駒５６は、ほぞ組みなどによる木工的な連結技術により支柱２０に固定されてもよい。
【００２６】
駒５４には弦５２ごとに対応する駒釘５５が設けられている。駒５４は、上述のように緩衝部材９０を介して支柱２０−４、２０−５に固定された状態で、弦５２のそれぞれの有効弦長部分の一端側を駒釘５５にて支持する。駒５６には弦５３ごとに対応する駒釘５７が設けられている。駒５６は、上述のように支柱２０−３、２０−４、２０−５に固定された状態で、弦５３のそれぞれの有効弦長部分の一端側を駒釘５７にて支持する。駒５６は、駒５４よりも上方の位置に設けられている。図示は省略しているが、弦５２、弦５３それぞれの有効弦長部分の他端側は、例えばフレーム５１に設けられたベアリング、アグラフなどによって支持される。
【００２７】
鍵４１の後端部の上側には、アクション機構６０とダンパ機構７０が設けられる。アクション機構６０はハンマー６１を備え、演奏者の手指が対応の鍵４１を押した力を、ハンマー６１が対応する弦５２、５３を打撃する力に変換する機構である。ダンパ機構７０は、演奏者がペダル８１を踏み込むのに応じて、ダンパ７１を対応する弦５２に接触していた状態から離間した状態に遷移させるための機構である。
【００２８】
本実施形態のピアノ１０は響板を備えない。響板は、背景技術にて説明しているように、ピアノには通常備えられているものである。しかし、本実施形態では、響板を備えないことにより、弦５２、５３の振動によって響板が振動することがなく、弦の振動に応じて発生する音を十分に小さくすることができる。しかしながら、響板がないと、高音域を良好な音量まで下げた場合に、低音域での音が弱くなり、演奏者にとってバランスの崩れた音に聴こえてしまうという問題がある。そこで、本実施形態のピアノ１０では、筐体１１の内部において、低音域に対応する駒（短駒）５４は、連結部材１００によって下前板１２−２に連結するように構成される。
【００２９】
連結部材１００の材料は、後述する緩衝部材９０の材料の弾性率よりも高い弾性率を有していれば特に限定されないが、金属が好ましく、特にアルミニウムなどの軽金属が好ましい。連結部材１００の一端は、駒５４の前側の面の任意の位置に固定されればよく、また、連結部材１００の他端は、下前板１２−２の背面における任意の位置に固定されればよい。図１においては、連結部材１００が略水平な状態とされ、下前板１２−２の背面側の主面に対して略垂直に取り付けられた例を示している。このように駒５４と下前板１２−２とを連結部材１００によって連結することで駒５４の振動が下前板１２−２に伝達され、下前板１２−２は、低音域の弦５２の振動に応じて共鳴する。これにより、低音域の音量が増強され、音域バランスを良好に保つことができる。
【００３０】
駒５４と下前板１２−２とを連結する連結部材１００は一定長を有する。つまり、駒５４から下前板１２−２への振動の伝達は物理的に比較的長い伝達経路を経由して行われることから、連結部材１００においてエネルギー損失が生じる。そのため、下前板１２−２によって低音域が過剰に増強されるようなことはない。つまり、本実施形態においては、音域バランスを保ちながらも、響板を使用しないことによる音量低減効果が十分に得られる。また、下前板１２−２は、ピアノ１０における前面側、すなわち、演奏者に近い側に配置されている。このために、演奏者は、下前板１２−２の振動に応じて発生する音を近くで聴くことができる。そのため、演奏者に対する音質の補完効果が大きくなる。
【００３１】
本実施形態のピアノ１０においては、下前板１２−２の厚さや木材の選定、また、連結部材１００の太さや材料の選定などにより、伝達された振動に応じた下前板１２−２の振動の度合いを調整し、適切な音域バランスを設定することができる。一例として、下前板１２−２について、ピアノの響板として一般に用いられるスプルース材などとすれば、響板を備える通常のピアノに近い音色を得ることができる。
【００３２】
また、前述したように、本実施形態のピアノ１０においては、低音域に対応する駒（短駒）５４は、緩衝部材９０を介して支柱２０−４、２０−５に固定される。緩衝部材９０の材料は、連結部材１００の材料の弾性率よりも低い弾性率を有する材料であれば特に限定されない。緩衝部材９０の材料としては、例えば、ゴム、木材、発泡プラスチックなどであってもよい。
【００３３】
駒５４は弦５２が規定の弦長となる位置で弦５２と接する。そのため、弦５２の振動は駒５４に伝達される。駒５４に伝達された振動は、主に連結部材１００を介して下前板１２−２に伝達される。駒５４に伝達された振動は、駒５４が固定された支柱２０−４、２０−５に伝達されるが、駒５４と支柱２０−４、２０−５との間には、それぞれ連結部材１００よりも低い弾性率を有する緩衝部材９０が設けられている。そのため、支柱２０−４、２０−５に対向する、駒５４の第１の面から支柱２０−４、２０−５までの振動の減衰量は、該第１の面の反対側に位置し、弦５２と接している駒５４の第２の面から下前板１２−２の連結部材１００との接触面までの振動の減衰量よりも大きい。即ち、弦５２から駒５４に伝達される振動は主に、相対的に大きな弾性率を有する連結部材１００を介して下前板１２−２に伝達され、下前板１２−２は伝達された低音域の弦５２の振動に応じて共鳴する。一方、弦５２から駒５４に伝達される振動は、相対的に小さな弾性率を有する緩衝部材９０を介するため、支柱２０−４、２０−５には伝達されにくい。そのため、弦５２の振動によって支柱２０−４、２０−５の振動が低減される。
【００３４】
以上に述べたように、弦５２から駒５４に伝達される振動は、相対的に大きな弾性率を有する連結部材１００を介して演奏者に近い下前板１２−２に主に伝達される。伝達された振動によって下前板１２−２が共鳴することにより、低音域の音量が増強され、音域バランスを良好に保つことができる。一方、駒５４に支柱２０−４、２０−５に伝達される振動は、緩衝部材９０によって大きく減衰する。そのため、弦５２から駒５４に伝達される振動によって支柱２０−４、２０−５の振動が低減され、支柱２０−４、２０−５を介して筐体１１の他の部分に振動が伝達されることが防止され、不要な音響放射の発生を防止することができる。
【００３５】
なお、緩衝部材９０を支柱２０に対して固定するための手法については特に限定されない。例えば、緩衝部材９０は接着剤や釘などによって支柱２０に固定されてもよい。接着剤を用いる場合、例えば振動の伝達をできるだけ防止することを考慮して接着剤の種類を選定することが好ましい。また、緩衝部材９０はネジ部品あるいはボルト、ナットなどによって支柱２０に固定されてもよい。また、緩衝部材９０は、ほぞ組みなどによる木工的な連結技術により支柱２０に固定されてもよい。
【００３６】
以上のとおり、本実施形態のピアノ１０は響板を備えないため、弦５２、５３の振動に応じて発生する音を十分に小さくすることができる。しかしながら、響板がないと、高音域を良好な音量まで下げた場合に、低音域での音が弱くなり、演奏者にとってバランスの崩れた音に聴こえてしまうという問題がある。そこで、本実施形態のピアノ１０では、ピアノ１０の全音域のうちの低音域に対応する弦５２を支持する駒（短駒）５４を連結部材１００を介して下前板１２−２に連結させることにより、低音域の音量を増大させて演奏者にとってバランスのよい音質を実現している。同時に、駒５４と駒５４が固定される支柱２０との間に連結部材１００よりも弾性率が低い緩衝部材９０を介在させることにより、弦５２から伝達される振動によって支柱２０の振動が低減される。したがって、不要の音響放射を防止しながら、音域バランスに優れ、有効に音量を低減することのできるピアノを提供することが可能になる。
【００３７】
以上に述べた第１の実施形態に係るピアノ１０では、低音域の音量を増大させるために、駒（短駒）５４を連結部材１００を介して下前板１２−２に連結させているが、駒５４は連結部材１００を介して上前板１２−１に連結されてもよい。また、低音域の音量が小さい場合は、駒５４は連結部材１００を介して上前板１２−１及び下前板１２−２の両方に連結されてもよい。また、音量を増大させたい音域が高音域にある場合は、駒（長駒）５６を連結部材１００を介して上前板１２−１及び／又は下前板１２−２に連結させてもよい。
【００３８】
＜第２実施形態＞
続いて、図３及び図４を参照して、第２の実施形態におけるピアノ１０Ａについて説明する。図３は、第２の実施形態に係るピアノ１０Ａの側面を断面により示す断面図であり、図４は、第２の実施形態のピアノ１０Ａの背面図である。なお、図３及び図４において、図１及び図２と同一部分には同一符号を付して説明を省略する。また、図４において、支柱の図示は省略している。
【００３９】
本発明の第２の実施形態のピアノ１０Ａは、駒（短駒）５４の配置が第１実施形態とは異なる。具体的には、先に説明した第１の実施形態のピアノ１０では、駒５４は緩衝部材９０を介して支柱に固定されているのに対し、第２の実施形態に係るピアノ１０Ａでは、駒５４は連結部材１００を介して下前板１２−２に取り付けられているという点で異なる。
【００４０】
第２の実施形態のピアノ１０Ａにおいて、支柱２０に対向する駒５４の第１の面と支柱２０との間には空気層９０ａが介在しており、該駒５４の第１の面とは反対側に位置し、弦５２に接する駒５４の第２の面は連結部材１００の一端に固定される。駒５４と下前板１２−２とを連結部材１００によって連結することで駒５４の振動が下前板１２−２に伝達され、下前板１２−２は、低音域の弦５２の振動に応じて共鳴する。これにより、低音域の音量が増強され、音域バランスを良好に保つことができる。
【００４１】
第２の実施形態のピアノ１０Ａでは、駒５４から支柱２０までの筐体１１を介して伝達される振動の減衰量は、駒５４から下前板１２−２と連結部材１００との接触面までの振動の減衰量よりも大きく、弦５２から駒５４に伝達される振動は、連結部材１００を介して演奏者に近い下前板１２−２に主に伝達される。伝達された振動によって下前板１２−２が共鳴することにより、低音域の音量が増強され、音域バランスを良好に保つことができる。したがって、支柱２０を介して筐体１１の他の部分に振動が伝達されることにより生じる不要の音響放射を防止しながら、音域バランスに優れ、有効に音量を低減することのできるピアノを提供することが可能になる。
【００４２】
第２の実施形態のピアノ１０Ａでは、図３に示すように、弦５２に接する駒５４の第２の面は下前板１２−２に面している、即ち、駒５４の駒釘５５は、駒５４の下前板１２−２に対向する面に配置されている。しかしながら、駒釘５５の配置位置はこれに限定されず、図５に示すように、駒５４の支柱２０に面する面（ピアノ１０Ａの背面側）に配置されてもよい。
【００４３】
また、第２の実施形態に係るピアノ１０Ａでは、低音域の音量を増大させるために、駒（短駒）５４を連結部材１００を介して下前板１２−２に連結させているが、駒５４は連結部材１００を介して上前板１２−１に連結されてもよい。また、音量を増大させたい音域が高音域にある場合は、駒（長駒）５６を連結部材１００を介して上前板１２−１又は下前板１２−２に連結させてもよい。
【００４４】
以上に述べたように、本発明の実施形態に係るピアノでは、弦と接する駒を相対的に高い弾性率を有する連結部材によって前板に連結させ、該駒と支柱との間に相対的に低い弾性率を有する緩衝部材又は空気層を介在させることによって、不要な音響放射を防止しながら、音域バランスに優れ、有効に音量を低減することを可能にしている。
【００４５】
尚、図示はしないが、本発明の実施形態に係るピアノ１０、１０Ａにおいて、不要の音響放射を防止するため、弦５２、５３が張設されるフレーム５１と筐体１１（例えば、背面上桁１３、屋根後１７、底板１８）との間に緩衝部材を設けてもよい。また、演奏者に対する音質の補完効果をより大きくするために、駒に連結された連結部材を演奏者が使用する椅子に連結させてもよい。
【符号の説明】
【００４６】
１０，１０Ａ…ピアノ、１１…筐体、１２−１…上前板、１２−２…下前板、２０…支柱、４１…鍵、５１…フレーム、５２，５３…弦、５４，５６…駒、９０…緩衝部材、９０ａ…空気層、１００…連結部材
【図１】
2016206218.tif 000003
【図２】
2016206218.tif 000004
【図３】
2016206218.tif 000005
【図４】
2016206218.tif 000006
【図５】
2016206218.tif 000007